(57)【要約】      （修正有）【課題】複数のパソコン間で入力デバイスを切り替えたとき、直感的なコピー（カット）＆ペーストの操作により、切り替え元のＰＣから切り替え先のＰＣへのデータの受け渡しが可能な入力デバイス切り替え装置を提供する。【解決手段】１台の入力デバイスを、切り替えスイッチ手段の手動操作により複数台のＰＣに選択的に接続させたＰＣの表示画面上のマウスカーソルを操作する入力デバイス切り替え装置において、前記入力デバイスが現在選択接続の第１ＰＣのアプリケーション表示画面上で実行されるコピーまたはカット操作で特定されたデータを保持するクリップボードから転送される前記データ取得する中継記憶手段と、前記切り替えスイッチ手段の手動操作により前記入力デバイスを前記第１ＰＣから第２ＰＣに切り替えたとき、この操作に連動し前記中継記憶手段に保持している前記データを前記第２ＰＣのクリップボードに転送するデータ転送手段と、を備える。【選択図】図１
2012181584.tif 000002
【特許請求の範囲】
【請求項１】
１台の入力デバイスを、切り替えスイッチ手段の手動操作により複数台のＰＣに選択的に接続させ、接続したＰＣの表示画面上のマウスカーソルを操作する入力デバイス切り替え装置において、
前記入力デバイスが現在選択接続されている第１ＰＣのアプリケーション表示画面上で実行されるコピーまたはカット操作で特定されたデータを保持するクリップボードから転送される前記データ取得する中継記憶手段と、
前記切り替えスイッチ手段の手動操作により前記入力デバイスを前記第１ＰＣから第２ＰＣに切り替えたとき、この切り替え操作に連動して前記中継記憶手段に保持している前記データを前記第２ＰＣのクリップボードに転送するデータ転送手段と、
を備えることを特徴とする入力デバイス切り替え装置。
【請求項２】
前記第２ＰＣは、自己のアプリケーション表示画面上での所定マウスカーソル位置で実行される貼り付け操作により、前記中継記憶手段より自己のクリップボードに転送されたデータを前記第２ＰＣのアプリケーショに取り込むことを特徴とする請求項１に記載の入力デバイス切り替え装置。
【請求項３】
１台の入力デバイスを、切り替えスイッチ手段の自動操作により複数台のＰＣに選択的に接続させ、接続したＰＣの表示画面上のマウスカーソルを操作する入力デバイス切り替え装置において、
前記入力デバイスが現在選択接続されている第１ＰＣのアプリケーション表示画面上で実行されるコピーまたはカット操作で特定されたデータを保持するクリップボードから転送される前記データ取得する中継記憶手段と、
前記第１ＰＣの表示画面上のマウスカーソルが画面端部の所定座標位置に移動したときに、前記切り替えスイッチ手段を自動的に操作して前記入力デバイスを前記第１ＰＣから第２ＰＣに切り替える、切り替えスイッチ操作手段と、
前記切り替えスイッチ手段の自動操作で、前記入力デバイスを前記第１ＰＣから第２ＰＣに切り替えたとき、この切り替え操作に連動して前記中継記憶手段に保持している前記データを前記第２ＰＣのクリップボードに転送するデータ転送手段と、
を備えることを特徴とする入力デバイス切り替え装置。
【請求項４】
前記第２ＰＣは、自己のアプリケーション表示画面上での所定マウスカーソル位置で実行される貼り付け操作により、前記中継記憶手段より自己のクリップボードに転送されたデータを前記第２ＰＣのアプリケーショに取り込むことを特徴とすることを特徴とする請求項３に記載の入力デバイス切り替え装置。
【発明の詳細な説明】
【技術分野】
【０００１】
本発明は、１台の入力デバイスを、切り替えスイッチ手段の手動操作により複数台のパソコン（以下、ＰＣ）に選択的に接続させ、接続したＰＣの表示画面上のマウスカーソルを操作する入力デバイス切り替え装置に関するものである。
【背景技術】
【０００２】
図７は、従来の入力デバイス切り替え装置の構成例を示す機能ブロック図である。図７において、従来、複数台（図示は２台）の第１ＰＣ（Ａ）１０１と第２ＰＣ（Ｂ）１０２を１組の入力デバイス（キーボード１０３とマウス１０４など）で操作する場合、入力デバイス切り替え装置１０５に設けられた切り替えダイヤル１０５ａを回して、操作したい第１ＰＣ（Ａ）１０１または第２ＰＣ（Ｂ）１０２と入力デバイス（キーボード１０３とマウス１０４）の物理的な接続先を切り替える。
【０００３】
また、第１ＰＣ（Ａ）１０１および第２ＰＣ（Ｂ）１０２は、第１液晶モニタ１０６（Ａ）および第２液晶モニタ１０７（Ｂ）に、夫々ビデオ信号ケーブル１０８およびビデオ信号ケーブル１０９で接続されている。
【０００４】
また、入力デバイス切り替え装置１０５の切り替えダイヤル１０５ａをＡ側に操作した場合、入力デバイス（キーボード１０３とマウス１０４など）と第１ＰＣ１０１（Ａ）は、キーボード用信号ケーブル１１０ａとマウス用信号ケーブル１１０ｂを介して接続される。
【０００５】
同様に、入力デバイス切り替え装置１０５の切り替えダイヤル１０５ａをＢ側に操作した場合、入力デバイス（キーボード１０３とマウス１０４など）第２ＰＣ１０２（Ｂ）は、キーボード用信号ケーブル１１１ａとマウス用信号ケーブル１１１ｂを介して接続される。
【先行技術文献】
【特許文献】
【０００６】
【特許文献１】特開２００１−２１６２５１号公報
【発明の概要】
【発明が解決しようとする課題】
【０００７】
従来装置では、第１ＰＣ（Ａ）１０１上で起動しているアプリケーションソフトのデータ（テキストデータ、ビットマップデータなど）を、第２ＰＣ（Ｂ）１０２上で起動しているアプリケーションソフトに受け渡すことが簡単にできない。
【０００８】
例えば、第１ＰＣ（Ａ）１０１および第２ＰＣ（Ｂ）１０２には、一時的にデータを保存できるクリップボード（共有のメモリ領域）１１２および１１３を具備している。このクリップボードは、複数の異なるアプリケーションソフトからアクセスすることが可能なため、単一のアプリケーションソフトだけでなく、異なったアプリケーションソフト間のデータの受け渡しが可能である。
【０００９】
しかし、第１ＰＣ（Ａ）１０１および第２ＰＣ（Ｂ）１０２間で、データを受け渡しする場合には、データを一旦ファイル化して、第１ＰＣ（Ａ）１０１と第２ＰＣ（Ｂ）１０２の間を通信ケーブル（シリアルケーブル、ＬＡＮケーブルなど）でつないで、データの転送を行う必要があるため、直感的にコピー（またはカット）＆ペースト（貼り付け）にてデータを受け渡すことが不可能である。
【００１０】
本発明の目的は、複数のパソコン間で入力デバイスを切り替えたとき、直感的なコピー（カット）＆ペーストの操作により、切り替え元のＰＣから切り替え先のＰＣにデータの受け渡しすることが可能な入力デバイス切り替え装置を実現することにある。
【課題を解決するための手段】
【００１１】
このような課題を達成するために、本発明は次の通りの構成になっている。
（１）１台の入力デバイスを、切り替えスイッチ手段の手動操作により複数台のＰＣに選択的に接続させ、接続したＰＣの表示画面上のマウスカーソルを操作する入力デバイス切り替え装置において、
前記入力デバイスが現在選択接続されている第１ＰＣのアプリケーション表示画面上で実行されるコピーまたはカット操作で特定されたデータを保持するクリップボードから転送される前記データ取得する中継記憶手段と、
前記切り替えスイッチ手段の手動操作により前記入力デバイスを前記第１ＰＣから第２ＰＣに切り替えたとき、この切り替え操作に連動して前記中継記憶手段に保持している前記データを前記第２ＰＣのクリップボードに転送するデータ転送手段と、
を備えることを特徴とする入力デバイス切り替え装置。
【００１２】
（２）前記第２ＰＣは、自己のアプリケーション表示画面上での所定マウスカーソル位置で実行される貼り付け操作により、前記中継記憶手段より自己のクリップボードに転送されたデータを前記第２ＰＣのアプリケーショに取り込むことを特徴とする（１）に記載の入力デバイス切り替え装置。
【００１３】
（３）１台の入力デバイスを、切り替えスイッチ手段の自動操作により複数台のＰＣに選択的に接続させ、接続したＰＣの表示画面上のマウスカーソルを操作する入力デバイス切り替え装置において、
前記入力デバイスが現在選択接続されている第１ＰＣのアプリケーション表示画面上で実行されるコピーまたはカット操作で特定されたデータを保持するクリップボードから転送される前記データ取得する中継記憶手段と、
前記第１ＰＣの表示画面上のマウスカーソルが画面端部の所定座標位置に移動したときに、前記切り替えスイッチ手段を自動的に操作して前記入力デバイスを前記第１ＰＣから第２ＰＣに切り替える、切り替えスイッチ操作手段と、
前記切り替えスイッチ手段の自動操作で、前記入力デバイスを前記第１ＰＣから第２ＰＣに切り替えたとき、この切り替え操作に連動して前記中継記憶手段に保持している前記データを前記第２ＰＣのクリップボードに転送するデータ転送手段と、
を備えることを特徴とする入力デバイス切り替え装置。
【００１４】
（４）前記第２ＰＣは、自己のアプリケーション表示画面上での所定マウスカーソル位置で実行される貼り付け操作により、前記中継記憶手段より自己のクリップボードに転送されたデータを前記第２ＰＣのアプリケーショに取り込むことを特徴とすることを特徴とする（３）に記載の入力デバイス切り替え装置。
【発明の効果】
【００１５】
本発明によれば、入力デバイス切り替え装置に複数台のＰＣを接続した場合、ＰＣ間でデータの受け渡しをする際に、各ＰＣ上で起動しているアプリケーションの種類に関係なく直感的な操作方法（コピー（カット）＆ペースト）でデータを受け渡しが可能になるため、データの受け渡し作業の簡素化と作業時間の短縮が実現できる。
【００１６】
仮に２台のモニタが、横に並べて配置されている条件下で、マウスカーソルをとなり合うモニタの境界エリアに移動させることで、入力デバイスの接続先が自動的に切り替わり、ユーザは入力デバイスの切り替えを意識することなく直感的な操作方法（コピー（カット）＆ペースト）でデータの受け渡しが可能になるため、データの受け渡し作業の簡素化と作業時間の短縮が実現できる。
【図面の簡単な説明】
【００１７】
【図１】本発明を適用した入力デバイス切り替え装置の一実施例を示す機能ブロック図である。
【図２】本発明の信号処理手順を説明するフローチャートである。
【図３】本発明の動作を説明する表示画面の遷移図である。
【図４】本発明を適用した入力デバイス切り替え装置の他の実施例を示す機能ブロック図である。
【図５】図４の動作を説明する表示画面の遷移図である。
【図６】図４の動作を説明する表示画面の遷移図である。
【図７】従来の入力デバイス切り替え装置の構成例を示す機能ブロック図である。
【発明を実施するための形態】
【００１８】
以下本発明を、図面を用いて詳細に説明する。図１は、本発明を適用した入力デバイス切り替え装置の一実施例を示す機能ブロック図である。図７で説明した従来構成と同一要素には同一符号を付して説明を省略する。
【００１９】
図７に示す従来構成に追加された本発明の特徴部は、入力デバイス切り替え装置２００の構成にある。入力デバイス切り替え装置２００は、切り替えスイッチ手段２０１および転送制御部２０２を具備する。
【００２０】
切り替えスイッチ手段２０１は、手動切り替え操作Ｍにより入力デバイス（キーボード１０３、マウス１０４）を選択的に切り替えて第１ＰＣ（Ａ）１０１または第２ＰＣ（Ｂ）１０２に接続する機能であり、図７で示した切り替えダイヤル１０５ａと同一機能である。
【００２１】
転送制御部２０２は、本発明の主要部をなす構成要素であり、中継記憶手段２０３およびデータ転送手段２０４を具備する。中継記憶手段２０３は、第１ＰＣ（Ａ）１０１で実行されたコピー（カット）操作で特定されたデータを記憶するクリップボード１１２から転送されるデータを一時的に保存する。
【００２２】
データ転送手段２０４は、手動切り替え操作Ｍで切り替えられる切り替えスイッチ２０１の動作に連動する信号Ｓにより、中継記憶手段２０３に保持されているデータを第２ＰＣ（Ｂ）１０２のクリップボード１１３に転送する。
【００２３】
図２は、本発明の信号処理手順を説明するフローチャートである。図２（イ）は、第１ＰＣ（Ａ）の動作フローを示す。ステップＳ１のコピー（カット）操作によりステップＳ２でクリップボードに書き込まれた否かをチェックし、書き込みが終了していればステップＳ３でクリップボードのデータを入力デバイス切り替え装置に転送する。
【００２４】
図２（ロ）は、入力デバイス切り替え装置の動作フローを示す。ステップＳ４で中継記憶装置２０３にデータが書き込まれたか否かをチェックし、書き込みが終了していればデータ転送手段２０４により第２ＰＣ（Ｂ）のクリップボードにデータを転送する。
【００２５】
図２（ハ）は、第２ＰＣ（Ｂ）の動作フローを示す。ステップＳ５で入力デバイス切り替え装置から転送されたデータを自己のクリップボードに保存し、ステップＳ７で実行される貼り付け操作で起動しているアプリケーションに取り込む。
【００２６】
図３は、本発明の動作を説明する表示画面の遷移図である。図面左側に第１液晶モニタ１０６の表示画面１０６Ａおよび起動したアプリケーション（メモ帳）１０６Ｂを示す。同様に、図面右側に第２液晶モニタ１０７の表示画面１０７Ａおよび起動したアプリケーション（メモ帳）１０７Ｂを示す。
【００２７】
第１段階（イ）では、第１液晶モニタ１０６の表示画面１０６Ａで起動したアプリケーション（メモ帳）１０６Ｂ内に転送対象の数値データが表示されている。第２段階（ロ）では、マウスカーソル１０６Ｃで転送するデータを特定し、ポップアップコマンドでコピー操作を実行する。
【００２８】
手動切り替え操作実行後の第３段階（ハ）では、第２液晶モニタ１０７の表示画面１０７Ａで起動したアプリケーション１０７Ｂ上で、指定されたマウスカーソル１０７Ｃの位置においてポップアップコマンドで貼り付け操作を実行する。第４段階（二）では、アプリケーション１０７Ｂ上のマウスカーソル位置に転送データが表示され、転送操作を終了する。
【００２９】
図４は、本発明を適用した入力デバイス切り替え装置の他の実施例を示す機能ブロック図である。この実施例の特徴は、入力デバイス切り替え装置による入力デバイスの切り替え操作を、図１に示した手動操作ではなく、マウスカーソルの移動操作による自動切り替え操作とした構成にある。
【００３０】
以下、図１に示した構成との相違点を説明する。入力デバイス切り替え装置２００の転送制御部２０２には、座標処理手段２０５が追加される。第１ＰＣ（Ａ）のマウスカーソル１０６Ｃの座標情報Ｚ１および第２ＰＣ（Ｂ）のマウスカーソル１０７Ｃの座標情報Ｚ２が転送制御部２０２に渡される。
【００３１】
座標処理手段２０５は、座標情報Ｚ１およびＺ２を取得し、第１液晶モニタ（Ａ）のマウスカーソル１０６Ｃが、例えば、表示画面の右端部の特定座標範囲に移動した場合に、自動切り替え信号Ｆを出力し、切り替えスイッチ手段２０１を操作し、入力デバイスを第２ＰＣ（Ｂ）側に接続する。
【００３２】
データ転送手段２０４は、自動切り替え信号Ｆの出力に連動して中継記憶手段２０３に保持されている第１ＰＣ（Ａ）のクリップボード１１２からの転送データを、第２ＰＣ（Ｂ）のクリップボード１１３に転送する。
【００３３】
図５および図６は、図４に示した実施例の動作を説明する表示画面の遷移図である。図３で示した従来構成の画面遷移との相違点を説明する。図５に示す第１段階（イ）および第２段階（ロ）は、図３で示した画面遷移の第１段階（イ）および第２段階（ロ）と同一である。
【００３４】
第３段階（ハ）および第４段階（二）が、この実施例の特徴を反映した遷移を示している。第３段階（ハ）では、第１液晶モニタのマウスカーソル１０６Ｃを、表示画面１０６Ａの右端部に設定された所定の座標位置に矢印Ｐ方向に移動させている。
【００３５】
マウスカーソル１０６Ｃが表示画面１０６Ａの右端部に設定された所定の座標位置に移動することで自動切り替え操作が実行され、第４段階段階（二）に遷移し、第２液晶モニタ（Ｂ）１０７の左端部にマウスカーソル１０７Ｃが現れる。
【００３６】
この遷移は、見かけ上、第１液晶モニタのマウスカーソル１０６Ｃが第２液晶モニタ側のマウスカーソル１０７Ｃにシームレスに移動したように見え、切り替えも自動的に実行されるので、ユーザの使い勝手を大幅に向上させることができる。
図６に示す第５段階（ホ）および第６段階（へ）は、図３で示した第３段階（ハ）および第４段階（二）と同一である。
【００３７】
図４の実施例では、２台の液晶モニタを横方向に並列配置し、マウスカーソルを横方向に操作して切り替える構成を示したが、２台の液晶モニタを縦方向に並列配置し、マウスカーソルを縦方向に操作して切り替える構成でもよい。転送制御部２０２内に設けたモニタ配置設定手段２０６によりモニタ配置の変更に対応することができる。
【００３８】
以上説明した実施例では、簡単のため、２台のＰＣ間でのデータ転送の形態を説明したが、２台以上のＰＣに対して１台の入力デバイスをマルチプレクサ手段で切り替える入力デバイス切り替え装置に対しても本発明を適用することができる。
【符号の説明】
【００３９】
１０１  第１ＰＣ（Ａ）
１０２  第１ＰＣ（Ｂ）
１０３  キーボード
１０４  マウス
１０６  第１液晶モニタ（Ａ）
１０７  第２液晶モニタ（Ｂ）
１１２  クリップボード
１１３  クリップボード
２００  入力デバイス切り替え装置
２０１  切り替えスイッチ手段
２０２  転送制御部
２０３  中継記憶手段
２０４  データ転送手段
２０５  座標情報処理手段
２０６  モニタ位置設定手段
【図１】
2012181584.tif 000003
【図２】
2012181584.tif 000004
【図７】
2012181584.tif 000005
【図３】
2012181584.tif 000006
【図４】
2012181584.tif 000007
【図５】
2012181584.tif 000008
【図６】
2012181584.tif 000009